(57)【要約】【課題】キャブ窓を矩形状に、すなわち矩形状窓の全面を実質上拭き取ることができ、また運転者の前方視界の目障りになる部分のない、キャブ窓のワイパー装置を提供する。【解決手段】キャブの窓の幅方向両側に互いに平行に配設された一対のガイドレールと、この一対のガイドレールの間に差し渡されガイドレールの各々にその延びる方向の移動を自在に支持され、窓を払拭するワーパーブレードが取り付けられたワイパーフレームと、一端がガイドレールのいずれか一方側のキャブに配設されたワイパーモータに連結され、他端がワイパーフレームに連結されたワイパーアームを備え、ワイパーモータによりワイパーフレームをガイドレールの延びる方向に移動させる。【選択図】図２
2005343402.tif 000002
【特許請求の範囲】
【請求項１】
キャブの窓の幅方向両側に互いに平行に配設された一対のガイドレールと、  該一対のガイドレールの間に差し渡されガイドレールの各々にその延びる方向の移動を自在に支持され、該窓を払拭するワーパーブレードが取り付けられたワイパーフレームと、  一端が、該ガイドレールのいずれか一方側のキャブに配設されたワイパーモータに連結され、他端が、該ワイパーフレームに連結されたワイパーアームを備え、  該ワイパーモータによってワイパーアームを揺動駆動することにより、該ワイパーアームに連結されたワイパーフレームがガイドレールの延びる方向に移動される、ことを特徴とするキャブ窓のワイパー装置。
【請求項２】
該ワイパーフレームが、その差し渡し方向に延びる長穴を備え、該ワイパーアームが、この長穴にその延びる方向に移動を自在に係合された移動体を介して連結されている、請求項１記載のキャブ窓のワイパー装置。
【請求項３】
該ワイパーフレームが、その差し渡し方向の両端部それぞれに少なくとも一対の回転自在なローラーを備えその間に位置付けられた該ガイドレールに支持されている、請求項１記載のキャブ窓のワイパー装置。
【請求項４】
該一対のガイドレールの各々が、その延在方向両端部の少なくとも一端に、該ワイパーブレードの取り付けられたワイパーフレームを該窓のワイパー払拭面から離隔させる離隔部を備えている、請求項１から３までのいずれかに記載のキャブ窓のワイパー装置。
【請求項５】
該離隔部が、該ガイドレールを該窓の払拭面から離す方向に折り曲げて形成されている、請求項４記載のキャブ窓のワイパー装置。
【請求項６】
該窓がキャブの前面と天井との間を移動自在に取り付けられ、該ガイドレールが該キャブの上下方向に延びて配設され、該一対のガイドレールの該天井側の端部の各々に該離隔部が備えられている、請求項４又は５記載のキャブ窓のワイパー装置。
【発明の詳細な説明】
【技術分野】
【０００１】
本発明は、作業機械のキャブの例えば前窓に好適なワイパー装置に関する。
【背景技術】
【０００２】
作業機械の典型例である例えば油圧ショベルのキャブには、正面から見て略矩形の前窓が備えられている。この前窓にはワイパー装置が取り付けられており、この前窓はまた、キャブの前面と天井部分との間をスライド移動させて開閉できるようになっている（例えば、特許文献１参照）。
【０００３】
この種のキャブの窓に備えられるワイパー装置の典型例について図５（特許文献１の図１に相当する図）を参照して説明する。キャブ４０の前窓４２は矩形平板状ガラス窓に形成され、前窓４２は上方に持ち上げスライドさせて天井部分に収納することにより開放され、天井部分から引き出して閉じられる。
【０００４】
ワイパー装置４４は、キャブ４０の左右前柱の一方に取り付けられたワイパーモータ４６により駆動されるワイパーアーム４８と、その先端に取り付けられたワイパーブレード５０を備えている。ワイパーモータ４６によりワイパーアーム４８を揺動駆動することにより、前窓４２のガラス面はワイパーブレード５０によって扇形状に拭き取られる。
【０００５】
キャブ４０にはまた、前窓４２を天井部分との間で出し入れするときに、また天井部分に収納したときに、ワイパーアーム４８及びワイパーブレード５０がキャブ４０内に倒れ込まないようにするための支持部材５２を前柱に備えている。
【特許文献１】特開平８−２６８２３８号公報（第１図、第９図）
【発明の開示】
【発明が解決しようとする課題】
【０００６】
しかしながら上述したとおりの形態の従来のキャブ窓のワイパー装置には、次のとおりの解決すべき問題がある。
【０００７】
作業視界：
ワイパー装置４４は矩形状の前窓４２を扇形状に拭き取るので、扇形の外側上方部分に拭き取られない部分が大きく残る。したがって、この拭き取られない部分の汚れ、水滴などにより、作業機械にとって重要なキャブ内の運転者からの前方の作業視界が悪くなる。また、ワイパーブレード５０の支持部材５２は運転者の前方視界の目障りになる。
【０００８】
本発明は上記事実に鑑みてなされたもので、その技術的課題は、キャブ窓のワイパー装置として、キャブ窓を矩形状に、すなわち矩形状窓の全面を実質上拭き取ることができ、また運転者の前方視界の目障りになる部分のない、ワイパー装置を提供することである。
【課題を解決するための手段】
【０００９】
本発明によれば上記技術的課題を解決するワイパー装置として、キャブの窓の幅方向両側に互いに平行に配設された一対のガイドレールと、該一対のガイドレールの間に差し渡されガイドレールの各々にその延びる方向の移動を自在に支持され、該窓を払拭するワーパーブレードが取り付けられたワイパーフレームと、一端が、該ガイドレールのいずれか一方側のキャブに配設されたワイパーモータに連結され、他端が、該ワイパーフレームに連結されたワイパーアームを備え、該ワイパーモータによってワイパーアームを揺動駆動することにより、該ワイパーアームに連結されたワイパーフレームがガイドレールの延びる方向に移動される、ことを特徴とするキャブ窓のワイパー装置が提供される。
【００１０】
好適には、該ワイパーフレームは、その差し渡し方向に延びる長穴を備え、該ワイパーアームは、この長穴にその延びる方向に移動を自在に係合された移動体を介して連結されている。また、該ワイパーフレームは、その差し渡し方向の両端部それぞれに少なくとも一対の回転自在なローラーを備えその間に位置付けられた該ガイドレールに支持されている。そして該一対のガイドレールの各々は、その延在方向両端部の少なくとも一端に、該ワイパーブレードの取り付けられたワイパーフレームを該窓のワイパー払拭面から離隔させる離隔部を備え、該離隔部は、該ガイドレールを該窓の払拭面から離す方向に折り曲げて形成されている。また、該窓はキャブの前面と天井との間を移動自在に取り付けられ、該ガイドレールは該キャブの上下方向に延びて配設され、該一対のガイドレールの該天井側の端部の各々に該離隔部が備えられている。
【発明の効果】
【００１１】
本発明に従って構成されたキャブ窓のワイパー装置によれば、ワイパーブレードの取り付けられたワイパーフレームの両端それぞれが、窓の両側に設けられたガイドレールにその延びる方向に移動を自在に支持されている。したがって、ワイパーブレードにより窓を矩形状に拭き取る、すなわち矩形状窓の全面を実質上拭き残しのないように拭き取ることができる。また、ワイパーフレームは両端がガイドレールに支持されているので、キャブ内に倒れ込むことがない。したがって、運転者の前方視界の目障りになる倒れ込みを防止するための部材をキャブ窓の部分に設ける必要がない。
【発明を実施するための最良の形態】
【００１２】
以下、本発明に従って構成されたキャブ窓のワイパー装置について、典型的な作業機械である油圧ショベルにおける好適実施例を図示している添付図面を参照して、さらに詳細に説明する。
【００１３】
図１を参照して説明する。全体を番号２で示す油圧ショベルは、履帯式の下部走行体４と、下部走行体４上に旋回自在に取り付けられた上部旋回体６を備え、上部旋回体６には運転室であるキャブ８、エンジンなど動力源が収容されたエンジン室１０、及びキャブ８の前方に位置したバケット１２ａが取り付けられた作業腕装置１２が備えられている。
【００１４】
キャブ８をその前側から見て主要部分を拡大図示した図２を参照して説明する。キャブ８の窓である前窓１６にはワイパー装置１４が備えられている。ワイパー装置１４は、前窓１６の幅方向（図２の左右方向）両側にキャブ８の上下（図２の上下）方向に延び互いに平行に配設された一対のガイドレール１８ａ、１８ｂと、ガイドレール１８ａ、１８ｂの間に差し渡され各々にその延びる方向の移動を自在に支持され、窓１６を払拭するワーパーブレード２０が取り付けられたワイパーフレーム２２と、一端が、ガイドレール１８ａ側のキャブ８に取り付けられたワイパーモータ２４に連結され、他端が、ワイパーフレーム２２に連結されたワイパーアーム２６を備えている。
【００１５】
後に詳述するように、ワーパーブレード２０の取り付けられたワイパーフレーム２２はワイパーモータ２４によりワイパーアーム２６を揺動駆動させることによりガイドレール１８ａ、１８ｂの延びる方向に実線で示す「上方位置」と二点鎖線で示す「下方位置」の間を移動する。
【００１６】
なお、前窓１６はそのガラス面であるワイパーによる払拭面Ｓのみが簡略図示されている。この前窓１６は、周知の構造によって、キャブ８の前面Ｆと天井部分Ｔ（図１参照）との間をスライド移動され開閉される。
【００１７】
図２とともにワイパー装置１４の部分拡大斜視図である図３を参照して説明する。ガイドレール１８ａ、１８ｂは、前窓１６の左右幅方向（図２の左右方向）において対称に形成されている。ガイドレール１８ａ（１８ｂ）は、断面Ｔ字形に形成され、前窓１６の払拭面面Ｓに対し垂直方向に延びる垂直部Ｖと垂直部Ｖの幅の中央部分から払拭面Ｓに対し平行に延びる平行部Ｈを備えている。ガイドレール１８ａ、１８ｂは、それぞれの垂直部Ｖを間隔Ｗに対向させ配設されている。
【００１８】
ワイパーフレーム２２は、その差し渡し方向である前窓１６の左右幅方向に延びる板状部２２ａに、差し渡し方向に延びる長穴２２ｂを備えている。ワイパーアーム２６はこの長穴２２ｂに、その延びる方向の移動自在に板状部２２ａを挟み係合された移動体２６ａを備え連結されている。ワイパーブレード２０はワイパーフレーム２２に前窓１６の幅略一杯の長さを有して取り付けられている。
【００１９】
図２及び図３とともに、ガイドレール１８ａ、１８ｂとワイパーフレーム２２の支持部を示す図４を参照して説明する。ワイパーフレーム２２は、その差し渡し方向の両端部それぞれに一対の回転自在なローラー２２ｃ、２２ｃを、その回転軸線Ｘを差し渡し方向に延ばし互いに平行にして備え、一対のローラー２２ｃ、２２ｃの間に位置付けられたガイドレール１８ａ（１８ｂ）によって支持されている。
【００２０】
主として図３を参照して説明を続けると、一対のガイドレール１８ａ、１８ｂ各々は、その延びる方向の上端部、天井部Ｔ側の端部の各々に、ワイパーブレード２０の取り付けられたワイパーフレーム２２を前窓１６のワイパー払拭面Ｓから離隔させる離隔部２８を備えている。離隔部２８は、ガイドレール１８ａ（１８ｂ）を前窓１６の払拭面Ｓから徐々に離す方向に角度θで折り曲げ形成されている。
【００２１】
図示は省略されているが、ガイドレール１８ａ、１８ｂをキャブ８本体の前壁内に収容することによりキャブ８の外観、見映えをよくすることができる。
【００２２】
上述したとおりのキャブ窓のワイパー装置１４の作用について、主として図２を参照して説明する。
【００２３】
払拭範囲：
ワイパーアーム２６に連結されたワイパーブレード２０の取り付けられたワイパーフレーム２２は、ワイパーモータ２４によってワイパーアーム２６を揺動駆動させることにより、ガイドレール１８ａ、１８ｂの延びる方向に実線で示す「上方位置」と二点鎖線で示す「下方位置」の間を移動し、キャブ８の窓１６を矩形状に拭き取る、すなわち矩形状の前窓１６の全面を実質上拭き取ることができる。
【００２４】
視界：
ワイパーフレーム２２は、両端がガイドレール１８ａ、１８ｂに支持されているので、キャブ８内に倒れ込むことがなく、またワイパー装置１４を作動させないときにはキャブ８の前面Ｆの上部にワイパーフレーム２２及びワイパーブレード２０を位置付けることができるので、運転者の前方視界の目障りになる倒れ込みを防止するための部材を設ける必要がない。
【００２５】
前窓：
したがってワイパー装置１４は、キャブ８の前面Ｆと天井部分Ｔとの間を移動開閉される前窓１６を有した油圧ショベル２のごとき作業機械のキャブに好適である。
【００２６】
以上、本発明を実施例に基づいて詳細に説明したが、本発明は上記の実施例に限定されるものではなく、例えば下記のように本発明の範囲内においてさまざまな変形あるいは修正ができるものである。
【００２７】
ガイドレール：
本実施例においては一対のガイドレール１８ａ、１８ｂは、窓１６の左右両側に上下方向に延びて配設されたが、キャブ及び窓の形態によっては、一対のガイドレールを窓の上下両側に左右方向に延ばし配設してもよい。
【００２８】
ワイパーアーム：
本実施例においては、ワイパーモータ２４とワイパーフレーム２２とは一本のワイパーアーム２６により結ばれているが、より強力にワイパーフレーム２２を作動させるために対向する一対のワイパーアームを用い、ワイパーモータ側に位置する２点及びワイパーフレーム側に位置する２点の平行リンクに構成し配設してもよい。
【図面の簡単な説明】
【００２９】
【図１】本発明に従って構成されたワイパー装置を備えた典型的な作業機械である油圧ショベルの側面図。
【図２】図１のＡ−Ａ矢印方向にキャブを前側から見て、ワイパー装置が取り付けられた部分を拡大して示した図。
【図３】図２にＢで示したワイパー装置の部分の拡大斜視図。
【図４】図３の矢印Ｃ方向に、ガイドレールとワイパーフレームの支持部を見て拡大して示した図。
【図５】従来の、キャブ窓のワイパー装置の正面図。
【符号の説明】
【００３０】
８：キャブ
１４：ワイパー装置
１６：前窓（窓）
１８ａ、１８ｂ：ガイドレール
２０：ワイパーブレード
２２：ワイパーフレーム
２４：ワイパーモータ
２６：ワイパーアーム
４４：ワイパー装置
５２：支持部材
【図１】
2005343402.tif 000003
【図２】
2005343402.tif 000004
【図３】
2005343402.tif 000005
【図４】
2005343402.tif 000006
【図５】
2005343402.tif 000007